(57)【要約】【課題】頭部側と足元側に配した一対の脚部の両側部間にそれぞれ側柵体を連結するとともに、前記脚部と側柵体の内面側にそれぞれ突設した突条に底面部材の周囲を載支してなるベッド装置において、使用者の好みや体格に応じて脚部に対する側柵体の取付位置を変更可能とするにも係わらず、底面部材の支持強度が高く、また梯子の装着姿勢を一定にすることが可能なベッド装置を提供する。【解決手段】側柵体７は、上下に間隔を置いて同一形状の板材からなる柵部材４０，４０を並設するとともに、その間を複数の連結片４１で間欠的に連結したものであり、脚部（上部脚６）に対して高い位置と低い位置とに付け替え可能であり、側柵体に固定した突条の高さに応じて、脚部に突設する突条を付け替え可能とし、底面部材（スノコ８）の周囲を各突条に載支した。【選択図】        図１
2008067820.tif 000002
【特許請求の範囲】
【請求項１】
頭部側と足元側に配した一対の脚部の両側部間にそれぞれ側柵体を連結するとともに、前記脚部と側柵体の内面側にそれぞれ突設した突条に底面部材の周囲を載支してなるベッド装置であって、前記側柵体は、上下に間隔を置いて同一形状の板材からなる柵部材を並設するとともに、その間を複数の連結片で間欠的に連結したものであり、前記脚部に対して高い位置と低い位置とに付け替え可能であり、前記側柵体に固定した前記突条の高さに応じて、前記脚部の突条を付け替え可能としたことを特徴とするベッド装置。
【請求項２】
前記脚部に対して、前記側柵体を高い位置に取付けたときの下側柵部材と、前記側柵体を低い位置に取付けたときの上側柵部材との高さ位置が一致してなる請求項１記載のベッド装置。
【請求項３】
前記側柵体は内面側に突設した突条を除き上下反転対称形であり、反転状態の該側柵体を前記脚部の高い位置と低い位置とに付け替え可能であるとともに、該側柵体の突条の高さに応じて前記脚部の突条を付け替え可能とした請求項１又は２記載のベッド装置。
【請求項４】
前記ベッド装置が、上段をベッド部とするとともに、下段を作業空間部とし、該作業空間部に机と書棚を配してなるベッドと机の組合せ家具におけるベッド部、あるいは二段ベッドにおける上段ベッド部である請求項１〜３何れかに記載のベッド装置。
【請求項５】
前記脚部に対して、高い位置に取付けた前記側柵体の下側柵部材の上縁又は低い位置に取付けた前記側柵体の上側柵部材の上縁に、梯子の上端に設けた下向きフック部材を係止して、該梯子を側柵体に装着してなる請求項４記載のベッド装置。
【発明の詳細な説明】
【技術分野】
【０００１】
本発明は、ベッド装置に係わり、更に詳しくは使用者の好みや体格に合わせて使用形態を変更可能なベッド装置に関するものである。
【背景技術】
【０００２】
先ず、特許文献１には、上段をベッド部とするとともに、下段を作業空間部とし、該作業空間部に机を配してなるベッドと机の組合せ家具であって、前記ベッド部の四隅を支持する４本の支柱のうち、正面側の一対の支柱間を開放部とし、他の支柱間を上下に間隔を置いて複数の横桟で連結するとともに、該横桟を利用して棚板等のオプションを係止可能としてなることを特徴とするベッドと机の組合せ家具が開示されている。ここで、前記下段の作業空間部には机とともに書棚を配置している。
【０００３】
また、特許文献２には、上段に位置した平面視四角形のベッド部と、ベッド部の下方に配置した机天板と、机天板及びベッド部を支持するため左右の支持枠とを備えており、前記机天板の左右側端部を、左右の支持枠に形成した前後長手のサイド横桟に載置し、机天板とサイド横桟とをねじ等のファスナーで固定しているベッドと机との組合せ家具が開示されている。
【０００４】
何れの特許文献記載のベッド部も、従来から公知の上下分離可能な二段ベッドにおける上部ベッド部と同様に、頭部側と足元側に配した一対の脚部の両側部間にそれぞれ側柵体を連結するとともに、前記脚部と側柵体の内面側にそれぞれ突設した突条に底面部材の周囲を載支して構成しているが、側柵体は脚部に対して固定的であり、従って底面部材の高さも一定である。
【特許文献１】特開平２００４−０２４４２５号公報
【特許文献２】特開平２００６−０５５５３９号公報
【発明の開示】
【発明が解決しようとする課題】
【０００５】
そこで、本発明が前述の状況に鑑み、解決しようとするところは、頭部側と足元側に配した一対の脚部の両側部間にそれぞれ側柵体を連結するとともに、前記脚部と側柵体の内面側にそれぞれ突設した突条に底面部材の周囲を載支してなるベッド装置において、使用者の好みや体格に応じて脚部に対する側柵体の取付位置を変更可能とするにも係わらず、底面部材の支持強度が高く、また梯子の装着姿勢を一定にすることが可能なベッド装置を提供する点にある。
【課題を解決するための手段】
【０００６】
本発明は、前述の課題解決のために、頭部側と足元側に配した一対の脚部の両側部間にそれぞれ側柵体を連結するとともに、前記脚部と側柵体の内面側にそれぞれ突設した突条に底面部材の周囲を載支してなるベッド装置であって、前記側柵体は、上下に間隔を置いて同一形状の板材からなる柵部材を並設するとともに、その間を複数の連結片で間欠的に連結したものであり、前記脚部に対して高い位置と低い位置とに付け替え可能であり、前記側柵体に固定した前記突条の高さに応じて、前記脚部の突条を付け替え可能としたことを特徴とするベッド装置を構成した（請求項１）。
【０００７】
ここで、前記脚部に対して、前記側柵体を高い位置に取付けたときの下側柵部材と、前記側柵体を低い位置に取付けたときの上側柵部材との高さ位置が一致してなることが好ましい（請求項２）。
【０００８】
そして、前記側柵体は内面側に突設した突条を除き上下反転対称形であり、反転状態の該側柵体を前記脚部の高い位置と低い位置とに付け替え可能であるとともに、該側柵体の突条の高さに応じて前記脚部の突条を付け替え可能としたことがより好ましい（請求項３）。
【０００９】
また、前記ベッド装置が、上段をベッド部とするとともに、下段を作業空間部とし、該作業空間部に机と書棚を配してなるベッドと机の組合せ家具におけるベッド部、あるいは二段ベッドにおける上段ベッド部であることも好ましい（請求項４）。
【００１０】
そして、前記脚部に対して、高い位置に取付けた前記側柵体の下側柵部材の上縁又は低い位置に取付けた前記側柵体の上側柵部材の上縁に、梯子の上端に設けた下向きフック部材を係止して、該梯子を側柵体に装着してなるのである（請求項５）。
【発明の効果】
【００１１】
以上にしてなる請求項１に係る発明のベッド装置は、側柵体の構造を、上下に間隔を置いて同一形状の板材からなる柵部材を並設するとともに、その間を複数の連結片で間欠的に連結したものとし、脚部に対して高い位置と低い位置とに付け替え可能としたことにより、底面部材と側柵体の位置関係を維持したまま、底面部材の高さ位置を高い状態と低い状態とに変更することができ、また側柵体に突条を固定しているので、底面部材に対する支持強度が確実である。また、側柵体の取付位置によって該側柵体に固定した突条の高さが変化するが、その高さに応じて脚部の突条を付け替え可能としたので、何れの場合にも底面部材の周囲４辺を突条に載支することができるのである。
【００１２】
請求項２によれば、脚部に対して、側柵体を高い位置に取付けたときの下側柵部材と、側柵体を低い位置に取付けたときの上側柵部材との高さ位置が一致するので、脚部と側柵体の取付構造の一部を共用することができるので、側柵体の高さを変更できるにも係わらず、コスト上昇を最小限に抑制することができる。
【００１３】
請求項３によれば、側柵体は内面側に突設した突条を除き上下反転対称形であり、反転状態の該側柵体を脚部の高い位置と低い位置とに付け替え可能であるとともに、該側柵体の突条の高さに応じて脚部の突条を付け替え可能としたので、合計４種類の形態を実現することができ、使用者の好みや、体格に応じて形態の選択が可能である。
【００１４】
請求項４によれば、前記ベッド装置が、上段をベッド部とするとともに、下段を作業空間部とし、該作業空間部に机と書棚を配してなるベッドと机の組合せ家具におけるベッド部、あるいは二段ベッドにおける上段ベッド部であると、ベッド部の実効的な高さである底面部材の高さと側柵体の高さを変更することができ、それにより体格の大きな子供では高い態様として、ベッド部より下方の空間の有効利用を図ることができ、また体格の小さな子供では低い態様とすることで、ベッド部へ容易に登ることができるのである。
【００１５】
請求項５によれば、脚部に対して、高い位置に取付けた側柵体の下側柵部材の上縁又は低い位置に取付けた側柵体の上側柵部材の上縁に、梯子の上端に設けた下向きフック部材を係止することができるので、何れの態様の場合にも梯子を同じ姿勢で側柵体に装着することができる。
【発明を実施するための最良の形態】
【００１６】
次に、添付図面に示した実施形態に基づき、本発明を更に詳細に説明する。図1及び図２は体格が大きい子供が使用するのに適した設置態様、図３及び図４は体格が小さい子供が使用するのに適した設置態様を示し、図中符号１はベッド部、２は机、３は書棚、４は下部脚、５は梯子、６は上部脚（脚部）、７は側柵体、８はスノコ（底面部材）をそれぞれ示している。先ず、本発明に係るベッド装置を適用したベッドと机の組合せ家具の全体構造を説明し、その次に本発明の詳細を説明する。
【００１７】
本実施形態のベッドと机の組合せ家具は、上段をベッド部１とするとともに、下段を作業空間部Ｓとし、該作業空間部Ｓに机２と書棚３を配してなるベッドと机の組合せ家具であって、両側に配した下部脚４，４の後部間に、単又は複数の書棚３を横方向に互に連結して配置するとともに、該書棚３と下部脚４を連結し、前記両下部脚４，４の上部に前記ベッド部１を載置するとともに、前記両下部脚４，４間で前記書棚３の前面側に着座位置を手前に向けて机２を設置し、更にベッド部１に梯子５を掛けた構造となっている。
【００１８】
本発明に係るベッドと机の組合せ家具は、二段ベッドの下部を開放して作業空間部Ｓとし、該作業空間部Ｓに机２と単又は複数の書棚３，…を連結して収納部を設けた概略構成となっている。
【００１９】
更に詳しくは、前記ベッド部１は、図１〜図７に示すように、頭部側と足元側、即ち短辺側に配置する脚部としての上部脚６，６の前後に、側柵体７，７を高さ調節可能に連結し、前記両上部脚６，６、両側柵体７，７で囲まれた空間に底面部材としてのスノコ８，８を支持した構造である。そして、前記梯子５の上端部を前記側柵体７に係止するのであるが、該側柵体７の高さを変更した場合でも、梯子５の姿勢を常に一定に保つことができるようになっている。つまり、前記側柵体７の高さを変更しても、該側柵体７における梯子５を支持する係止部が一定の高さになるように工夫している。
【００２０】
また、図８及び図９に示すように、横幅の異なる２種類の書棚３，３を互に連結して使用している。図８は、横幅の広い書棚３を示している。両側板９，９の下端部間と上端部間にそれぞれ底板１０と上面板１１とを連結するとともに、左右中間に仕切板１２を底板１０と上面板１１とに連結して垂設し、背面に背板１３を設け、そして側板９と仕切板１２の間に適宜段数で棚板１４，…を設けたものである。ここで、前記棚板１４は高さ調節可能となしている。また、図９は、横幅の狭い書棚３を示し、前述のものと仕切板１２が存在しない以外は構造的に同一であるので、同一構成には同一符号を付して、その説明は省略する。
【００２１】
そして、前記書棚３の両側板９，９には、上部と下部に二つずつ貫通孔１５，…を形成し、両書棚３，３を左右に並べ、重ね合わした側板９，９同士を、前記貫通孔１５，…を利用して、雌ネジと雄ネジとの組合せからなる締結具（図示せず）で連結して一体の収納部とする。二つの書棚３，３を連結したものは、前記ベッド部１の長辺側の寸法に略等しくなっている。勿論、前記書棚３の横幅が一つで前記ベッド部１の長辺側の寸法に略等しくなれば、単独で前記書棚３を構成する。
【００２２】
前記下部脚４は、左右一対有し、左右で対称な形状となっている。前記下部脚４は、図１〜図４、図１０に示すように、偏平な板状の支柱１６，１６を前後に有し、両支柱１６，１６の上端部間を上下幅の狭い上連結板１７で連結するとともに、上下中間部間を上下幅の広い下部連結板１８で連結して一体化したものであり、全体として板状の独立部材である。そして、前記上連結板１７と下部連結板１８の後部寄り位置に、前記書棚３の前記貫通孔１５，…と対応させて貫通孔１９，…を形成している。
【００２３】
また、図１０に示すように、前記下部脚４にハンギング部材２０を取付けることも好ましい。前記ハンギング部材２０は、前側の前記支柱１６と上部連結板１７の側面にブラケット板２１，２１をボルト止めし、両ブラケット板２１，２１の先端部間に係止棒２２を渡設して構成している。
【００２４】
そして、図１及び図２に示すように、前記両下部脚４，４の最後端間に前記書棚３を連結し、該書棚３の前面側に前記机２を当接した状態で設置する。それには、前記下部脚４の貫通孔１９，１９の位置に、前記書棚３の側板９に形成した貫通孔１５，１５の位置を対応させ、両貫通孔１５，１９を使用して締結具（図示せず）で連結する。そして、前記両下部脚４，４の上端にそれぞれ前記ベッド部１の上部脚６，６を載置して連結する。
【００２５】
ここで、前記上部脚６（脚部）も前記下部脚４と同様な構造を有し、つまり前記上部脚６は、前後の支柱２３，２３の上端部間に上下幅の狭い横柵板２４を連結するとともに、下部間に上下幅の広い支持板２５を連結した構造であり、更に該支持板２５の内面側に突設した突条２６に前記スノコ８（底面部材）を載置するようになっている。尚、前記側柵体７の内面側にも突条２７を設け、前記スノコ８を載置するようになっている。そして、前記下部脚４の両支柱１６，１６の上端に、前記ベッド部１の上部脚６の両支柱２３，２３を、連結ピン（図示せず）を介して載置連結する。
【００２６】
また、前記机２は、図１１〜図１３に示すように、左右両側の脚板２８，２８間に高さ変更可能に天板２９を連結したものである。前記脚板２８は、側面部３０の後縁に後面板３１を内側へ向けて直角に連結した平面視略Ｌ字形の形状であり、両脚板２８，２８に天板２９を取付けた状態で、両脚板２８，２８の後面板３１，３１間が開放するように、該後面板３１の横幅は狭く設定されている。前記側面部３０は、前後の支脚３２，３２の上部間に連結板３３を連結した構造であり、該連結板３３と前記後面板３１とに、上下方向に多段に取付孔３４，…と取付孔３５，…をそれぞれ形成している。一方、前記天板２９の下面には、少なくとも両側縁と後縁両側部に垂下板３６を設けてあり、該垂下板３６に形成した通孔３７と前記取付孔３４及び取付孔３５に挿通した締結具３８，…で所定高さ位置に当該天板２９を取付ける。
【００２７】
前記天板２９の高さを両脚板２８，２８の上下中間位置に設定した場合、該天板２９より上方へ脚板２８，２８の上部が位置しているが、前記両脚板２８，２８の後面板３１，３１間は開放しているので、天板２９の上面での開放感は保たれる。また、前記天板２９の下面に設けた前記垂下板３６，…を利用して複数の引出し３９，…を左右に並設している。
【００２８】
そして、図１及び図２に示した態様は、前記側柵体７，７を高い位置に取付け、スノコ８もそれに応じて高い位置にあり、また机２の天板２９も高い位置に設定したものであり、この態様は体格の大きな子供が使用するのに適している。また、図３及び図４に示した態様は、前記側柵体７，７を低い位置に取付け、スノコ８もそれに応じて低い位置にあり、また机２の天板２９の高さも低い位置に設定したものであり、この態様は体格の小さい子供が使用するのに適している。
【００２９】
前記側柵体７は、上下に間隔を置いて同一形状の板材からなる柵部材４０，４０を並設するとともに、その間を複数の連結片４１，…で間欠的に連結した形状のものである。つまり、中央部にも前記梯子５を係止できるようにするために、開口部４２，…を形成している。尚、前記側柵体７は、一枚物の板材で作成しても良いが、前記開口部４２と同様な開口部は必要である。前記側柵体７は、上下反転させて使用する場合もあるので、上下対称形としている。
【００３０】
前記側柵体７は、左右の前記上部脚６，６の前側及び後側の支柱２３，２３間に、高い位置と低い位置との二段階で高さ変更可能に連結している。それには、側柵体７を構成する各柵部材４０の端部の上下部にオニメナットを埋設して螺孔４３，４３を形成し、前記支柱２３に前記螺孔４３，４３の間隔と一致させて対となった通孔４４，４４を上下方向に３対形成している。そして、前記支柱２３の通孔４４に外側から挿通したネジ４５を前記柵部材４０の螺孔４３に螺合して取付ける。ここで、前記側柵体７を高い位置に取付けるには、前記支柱２３の上側二対の通孔４４，…を利用し、低い位置に取付けるには、下側二対の通孔４４，…を利用する。つまり、上下中央の一対の通孔４４，４４は、前記側柵体７を高い位置に取付けた際には、下方の柵部材４０を取付け、低い位置に取付けた際には、上方の柵部材４０を取付けるのに利用する。つまり、前記側柵体７を高い位置に取付けても、低い位置に取付けても、同一高さに柵部材４０が存在することになり、この柵部材４０を利用して前記梯子５を係止するようにしている。
【００３１】
そして、図１〜図４に示すように、前記梯子５の上端には、下向きフック部材４６を設け、図１及び図２に示すように、前記側柵体７を高い位置に取付けた際には下側の柵部材４０の上縁に前記下向きフック部材４６を係止し、また図３及び図４に示すように、前記側柵体７を低い位置に取付けた際には上側の柵部材４０の上縁に前記下向きフック部材４６を係止するのである。従って、何れの態様にあっても梯子５の姿勢は一定である。
【００３２】
また、下方の前記柵部材４０の内面側には、下部をスノコ８の厚み程度余して前記突条２７が固定されている。一方、前記上部脚６の支持板２５の内面側には、前記突条２６を高さ調節可能に取付けることができるようになっており、前記側柵体７の取付位置に応じて、前記突条２７の位置に対応するように二段階の高さ位置に変更可能となっている。その場合に使用する螺孔４７，…を前記支持板２５に上下二列設け、ネジ４８，…で突条２６を取付けている。尚、前記上部脚６の内面側には、後述するように、前記側柵体７を上下反転させて取付ける場合もあり、その際に突条２６を取付けるための螺孔４９，…も前記支持板２５と横柵板２４の内面側に上下二列設けている。つまり、前記螺孔４７，…と螺孔４９，…を利用して、前記突条２６を４通りの高さ位置に取付けできるようになっている。
【００３３】
図１及び図２に示した前記側柵体７を高い位置に取付けた態様では、側柵体７，７の下部に突設した突条２７，２７と、上部脚６，６に上側の螺孔４７，４７を用いて突設した突条２６，２６とでスノコ８を支持して構成したベッド部１は、高い位置にあるので、机２に着座して使用する場合に、使用者の頭部より上方に十分な高さを確保できるので、体格が大きな子供でも圧迫感を少なくできる。一方、図３及び図４に示した前記側柵体７を低い位置に取付けた態様では、側柵体７，７の下部に突設した突条２７，２７と、上部脚６，６に下側の螺孔４７，４７を用いて突設した突条２６，２６とでスノコ８を支持して構成したベッド部１は、低い位置にあるので、体格が小さな子供でも梯子５を利用してベッド部１に登ることが容易になり、また体格が小さな子供では机２の天板２９の高さを低く設定するので、該机２に着座して使用する場合に、使用者の頭部より上方に十分な高さを確保できるので、圧迫感を少なくできる。
【００３４】
尚、何れの態様の場合でも、前記上部脚６の支持板２５の上縁の高さを、高い位置の前記側柵体７の下側の柵部材４０の上縁の高さ、あるいは低い位置の前記側柵体７の上側の柵部材４０の上縁の高さと略一致させているので、ベッド部１における頭部側又は足元側の上部脚６の支持板２５に前記梯子５の下向きフック部材４６を係止することができる。
【００３５】
次に、本発明に係るベッドと机の組合せ家具は、図１４〜図１８に示すように、ベッド部１のみを単独で使用することができるようになっている。図１４は、図１及び図２に示した態様のまま下部脚４から分離して床面に直接載置して使用する形態を示している。また、図１５は、図３及び図４に示した態様のまま下部脚４から分離して床面に直接載置して使用する形態を示している。
【００３６】
また、図１６及び図１８（ａ）は、側柵体７を高い位置に取付けるとともに、スノコ８を側柵体７の最上部に設けた形態である。この形態の場合、上縁部に前記突条２７が来るように前記側柵体７を上下反転させ、その状態で両上部脚６，６の高い位置に取付けるとともに、該上部脚６，６の上側の螺孔４９，４９を利用して突条２６を取付け、これら突条２６，２７でスノコ８を周囲を載支するのである。
【００３７】
そして、図１７及び図１８（ｂ）は、側柵体７を低い位置に取付けるとともに、スノコ８を側柵体７の最上部に設けた形態である。この形態の場合、上縁部に前記突条２７が来るように前記側柵体７を上下反転させ、その状態で両上部脚６，６の低い位置に取付けるとともに、該上部脚６，６の下側の螺孔４９，４９を利用して突条２６を取付け、これら突条２６，２７でスノコ８の周囲を載支するのである。
【図面の簡単な説明】
【００３８】
【図１】本発明に係るベッド装置を適用したベッドと机の組合せ家具を示し、側柵体を高い位置に取付けた態様の斜視図である。
【図２】同じく縦断面図である。
【図３】本発明に係るベッド装置を適用したベッドと机の組合せ家具を示し、側柵体を低い位置に取付けた態様の斜視図である。
【図４】同じく縦断面図である。
【図５】ベッド部（ベッド装置）の正面図である。
【図６】同じくベッド部の側面図である。
【図７】同じくベッド部の平面図である。
【図８】横幅の広い書棚を示し、（ａ）は正面図、（ｂ）は側面図である。
【図９】横幅の狭い書棚を示し、（ａ）は正面図、（ｂ）は側面図である。
【図１０】下部脚を示し、（ａ）は正面図、（ｂ）は側面図である。
【図１１】机の平面図である。
【図１２】同じく一部破断して示した机の正面図である。
【図１３】同じく机の縦断面図である。
【図１４】ベッド部（ベッド装置）のみを単独で使用する形態を示し、側柵体が高い位置で、スノコを側柵体の下端部に支持した形態の斜視図である。
【図１５】同じく側柵体が低い位置で、スノコを側柵体の下端部に支持した形態の斜視図である。
【図１６】同じく側柵体が高い位置で、スノコを側柵体の上端部に支持した形態の斜視図である。
【図１７】同じく側柵体が低い位置で、スノコを側柵体の上端部に支持した形態の斜視図である。
【図１８】ベッド部のみを単独で使用する形態を示す縦断面図であり、（ａ）は図１６の形態の縦断面図、（ｂ）は図１７の形態の縦断面図である。
【符号の説明】
【００３９】
１  ベッド部、        ２  机、
３  書棚、            ４  下部脚、
５  梯子、            ６  上部脚、
７  側柵体、          ８  スノコ、
９  側板、            １０  底板、
１１  上面板、        １２  仕切板、
１３  背板、          １４  棚板、
１５  貫通孔、        １６  支柱、
１７  上連結板、      １８  下部連結板、
１９  貫通孔、        ２０  ハンギング部材、
２１  ブラケット板、  ２２  係止棒、
２３  支柱、          ２４  横柵板、
２５  支持板、        ２６  突条、
２７  突条、          ２８  脚板、
２９  天板、          ３０  側面部、
３１  後面板、        ３２  支脚、
３３  連結板、        ３４  取付孔、
３５  取付孔、        ３６  垂下板、
３７  通孔、          ３８  締結具、
３９  引出し、        ４０  柵部材、
４１  連結片、        ４２  開口部、
４３  螺孔、          ４４  通孔、
４５  ネジ、          ４６  下向きフック部材、
４７  螺孔、          ４８  ネジ、
４９  螺孔、
Ｓ  作業空間部。
【図１】
2008067820.tif 000003
【図２】
2008067820.tif 000004
【図３】
2008067820.tif 000005
【図４】
2008067820.tif 000006
【図５】
2008067820.tif 000007
【図６】
2008067820.tif 000008
【図７】
2008067820.tif 000009
【図８】
2008067820.tif 000010
【図９】
2008067820.tif 000011
【図１０】
2008067820.tif 000012
【図１１】
2008067820.tif 000013
【図１２】
2008067820.tif 000014
【図１３】
2008067820.tif 000015
【図１４】
2008067820.tif 000016
【図１５】
2008067820.tif 000017
【図１６】
2008067820.tif 000018
【図１７】
2008067820.tif 000019
【図１８】
2008067820.tif 000020